(57)【要約】本開示の様々な態様は、一般にワイヤレス通信に関する。いくつかの態様では、送信機ユーザ機器は、受信機ＵＥにビークルツーエブリシング（Ｖ２Ｘ）通信を送信するために使用されるべきビームを決定し得、ビームに関連付けられたスケジュールに少なくとも部分的に基づいて、Ｖ２Ｘ通信のための候補である、ビームの１つまたは複数の適格なリソースブロックを決定し得、受信機ＵＥに、Ｖ２Ｘ通信のための候補である、ビームの１つまたは複数の適格なリソースブロックを示す提案されるスケジュールを送信し得、提案されるスケジュールの送信に少なくとも部分的に基づいて、ビームを介して受信機ＵＥにＶ２Ｘ通信を送信し得る。多数の他の態様が提供される。【選択図】図４
2021500809.tif 000002
【特許請求の範囲】
【請求項１】
送信機ユーザ機器（ＵＥ）によって行われるワイヤレス通信の方法であって、
受信機ＵＥにビークルツーエブリシング（Ｖ２Ｘ）通信を送信するために使用されるべきビームを決定することと、
前記ビームに関連付けられたスケジュールに少なくとも部分的に基づいて、前記Ｖ２Ｘ通信のための候補である、前記ビームの１つまたは複数の適格なリソースブロックを決定することと、
前記受信機ＵＥに、前記Ｖ２Ｘ通信のための候補である、前記ビームの前記１つまたは複数の適格なリソースブロックを示す提案されるスケジュールを送信することと、
前記提案されるスケジュールの送信に少なくとも部分的に基づいて、前記ビームを介して前記受信機ＵＥに前記Ｖ２Ｘ通信を送信することと
を備える、方法。
【請求項２】
前記Ｖ２Ｘ通信は、前記提案されるスケジュールの確認を前記受信機ＵＥから受信したことに少なくとも部分的に基づいて、前記ビームの前記１つまたは複数の適格なリソースブロックを使用して前記受信機ＵＥに送信される、請求項１に記載の方法。
【請求項３】
前記受信機ＵＥから、前記提案されるスケジュールの拒否を受信することと、
前記受信機ＵＥから、更新されたスケジュールを受信することと、
前記更新されたスケジュールに少なくとも部分的に基づいて、前記Ｖ２Ｘ通信のために使用されるべき前記ビームの異なる１つまたは複数の適格なリソースブロックを決定することと、
前記ビームの前記異なる１つまたは複数の適格なリソースブロックを使用して前記受信機ＵＥに前記Ｖ２Ｘ通信を送信することと
をさらに備える、請求項１に記載の方法。
【請求項４】
前記Ｖ２Ｘ通信は、前記異なる１つまたは複数の適格なリソースブロックを示す、異なる提案されるスケジュールの確認を前記受信機ＵＥから受信したことに少なくとも部分的に基づいて、前記ビームの前記異なる１つまたは複数の適格なリソースブロックを使用して前記受信機ＵＥに送信される、請求項３に記載の方法。
【請求項５】
前記１つまたは複数の適格なリソースブロックは、前記ビームに関連付けられた更新されたスケジュールを受信した後に決定される、請求項１に記載の方法。
【請求項６】
前記更新されたスケジュールは、前記Ｖ２Ｘ通信を送信するために前記スケジュール中に十分な適格なリソースブロックがないという初期決定の後に受信される、請求項５に記載の方法。
【請求項７】
前記Ｖ２Ｘ通信を送信するために使用されるべき１つまたは複数の選択されたリソースブロックを示すように前記ビームの前記スケジュールを更新することと、
前記ビームの前記更新されたスケジュールを１つまたは複数のネイバーＵＥに送信することと
をさらに備える、請求項１に記載の方法。
【請求項８】
前記スケジュールは、
前記送信機ＵＥの１つまたは複数のスケジュールされたＶ２Ｘ通信、
前記受信機ＵＥの１つまたは複数のスケジュールされたＶ２Ｘ通信、
前記受信機ＵＥとは異なる１つまたは複数のネイバーＵＥの１つまたは複数のスケジュールされたＶ２Ｘ通信、あるいは
それらの組合せ
のうちの少なくとも１つに少なくとも部分的に基づいて決定される、請求項１に記載の方法。
【請求項９】
前記１つまたは複数のネイバーＵＥは、前記受信機ＵＥと同じビーム方向に関連付けられる、請求項８に記載の方法。
【請求項１０】
前記受信機ＵＥに前記Ｖ２Ｘ通信を送信するために使用されるべき前記ビームと同じビーム方向に前記１つまたは複数のリソースブロックを使用して１つまたは複数のネイバーＵＥが通信している場合、前記スケジュール中の１つまたは複数のリソースブロックが不適格であると決定される、請求項１に記載の方法。
【請求項１１】
前記受信機ＵＥに前記Ｖ２Ｘ通信を送信するために使用されるべき前記ビームと同じビーム方向に前記１つまたは複数のリソースブロックを使用して通信しているネイバーＵＥがいない場合、前記スケジュール中の１つまたは複数のリソースブロックが適格であると決定される、請求項１に記載の方法。
【請求項１２】
前記１つまたは複数の適格なリソースブロックは、前記Ｖ２Ｘ通信に関連付けられたトラフィック需要に少なくとも部分的に基づいてさらに決定される、請求項１に記載の方法。
【請求項１３】
前記スケジュールは、前記受信機ＵＥに前記Ｖ２Ｘ通信を送信するために使用されるべき前記ビームと同じビーム方向にスケジュールされた前記受信機ＵＥの１つまたは複数のＶ２Ｘ通信に少なくとも部分的に基づいて決定される、請求項１に記載の方法。
【請求項１４】
前記スケジュール中の前記１つまたは複数の適格なリソースブロックは、前記受信機ＵＥに前記Ｖ２Ｘ通信を送信するために使用されるべき前記ビームと前記同じビーム方向にスケジュールされた前記１つまたは複数のＶ２Ｘ通信と異なる周波数および同じ時間に関連付けられる、請求項１３に記載の方法。
【請求項１５】
メモリと、
前記メモリに動作可能に結合された１つまたは複数のプロセッサと
を備える、ワイヤレス通信のための送信機ユーザ機器（ＵＥ）であって、
前記メモリおよび前記１つまたは複数のプロセッサが、
受信機ＵＥにビークルツーエブリシング（Ｖ２Ｘ）通信を送信するために使用されるべきビームを決定することと、
前記ビームに関連付けられたスケジュールに少なくとも部分的に基づいて、前記Ｖ２Ｘ通信のための候補である、前記ビームの１つまたは複数の適格なリソースブロックを決定することと、
前記受信機ＵＥに、前記Ｖ２Ｘ通信のための候補である、前記ビームの前記１つまたは複数の適格なリソースブロックを示す提案されるスケジュールを送信することと、
前記提案されるスケジュールの送信に少なくとも部分的に基づいて、前記ビームを介して前記受信機ＵＥに前記Ｖ２Ｘ通信を送信することと
を行うように構成された、送信機ＵＥ。
【請求項１６】
前記Ｖ２Ｘ通信は、前記提案されるスケジュールの確認を前記受信機ＵＥから受信したことに少なくとも部分的に基づいて、前記ビームの前記１つまたは複数の適格なリソースブロックを使用して前記受信機ＵＥに送信される、請求項１５に記載の送信機ＵＥ。
【請求項１７】
前記１つまたは複数のプロセッサは、
前記受信機ＵＥから、前記提案されるスケジュールの拒否を受信することと、
前記受信機ＵＥから、更新されたスケジュールを受信することと、
前記更新されたスケジュールに少なくとも部分的に基づいて、前記Ｖ２Ｘ通信のために使用されるべき前記ビームの異なる１つまたは複数の適格なリソースブロックを決定することと、
前記ビームの前記異なる１つまたは複数の適格なリソースブロックを使用して前記受信機ＵＥに前記Ｖ２Ｘ通信を送信することと
を行うようにさらに構成された、請求項１５に記載の送信機ＵＥ。
【請求項１８】
前記１つまたは複数の適格なリソースブロックは、前記ビームに関連付けられた更新されたスケジュールを受信した後に決定され、ここにおいて、前記更新されたスケジュールは、前記Ｖ２Ｘ通信を送信するために前記スケジュール中に十分な適格なリソースブロックがないという初期決定の後に受信される、請求項１５に記載の送信機ＵＥ。
【請求項１９】
前記１つまたは複数のプロセッサは、
前記Ｖ２Ｘ通信を送信するために使用されるべき１つまたは複数の選択されたリソースブロックを示すように前記ビームの前記スケジュールを更新することと、
前記ビームの前記更新されたスケジュールを１つまたは複数のネイバーＵＥに送信することと
を行うようにさらに構成された、請求項１５に記載の送信機ＵＥ。
【請求項２０】
前記スケジュールは、
前記送信機ＵＥの１つまたは複数のスケジュールされたＶ２Ｘ通信、
前記受信機ＵＥの１つまたは複数のスケジュールされたＶ２Ｘ通信、
前記受信機ＵＥとは異なる１つまたは複数のネイバーＵＥの１つまたは複数のスケジュールされたＶ２Ｘ通信、あるいは
それらの組合せ
のうちの少なくとも１つに少なくとも部分的に基づいて決定される、請求項１５に記載の送信機ＵＥ。
【請求項２１】
前記受信機ＵＥに前記Ｖ２Ｘ通信を送信するために使用されるべき前記ビームと同じビーム方向に前記１つまたは複数の第１のリソースブロックを使用して１つまたは複数のネイバーＵＥが通信している場合、前記スケジュール中の１つまたは複数の第１のリソースブロックが不適格であると決定されるか、あるいは前記受信機ＵＥに前記Ｖ２Ｘ通信を送信するために使用されるべき前記ビームと同じビーム方向に前記１つまたは複数の第２のリソースブロックを使用して通信しているネイバーＵＥがいない場合、前記スケジュール中の１つまたは複数の第２のリソースブロックが適格であると決定される、請求項１５に記載の送信機ＵＥ。
【請求項２２】
前記スケジュールは、前記受信機ＵＥに前記Ｖ２Ｘ通信を送信するために使用されるべき前記ビームと同じビーム方向にスケジュールされた前記受信機ＵＥの１つまたは複数のＶ２Ｘ通信に少なくとも部分的に基づいて決定される、請求項１５に記載の送信機ＵＥ。
【請求項２３】
ワイヤレス通信のための命令を記憶する非一時的コンピュータ可読媒体であって、前記命令は、
送信機ユーザ機器（ＵＥ）の１つまたは複数のプロセッサによって実行されたとき、前記１つまたは複数のプロセッサに、
受信機ＵＥにビークルツーエブリシング（Ｖ２Ｘ）通信を送信するために使用されるべきビームを決定することと、
前記ビームに関連付けられたスケジュールに少なくとも部分的に基づいて、前記Ｖ２Ｘ通信のための候補である、前記ビームの１つまたは複数の適格なリソースブロックを決定することと、
前記受信機ＵＥに、前記Ｖ２Ｘ通信のための候補である、前記ビームの前記１つまたは複数の適格なリソースブロックを示す提案されるスケジュールを送信することと、
前記提案されるスケジュールの送信に少なくとも部分的に基づいて、前記ビームを介して前記受信機ＵＥに前記Ｖ２Ｘ通信を送信することと
を行わせる１つまたは複数の命令を備える、非一時的コンピュータ可読媒体。
【請求項２４】
前記Ｖ２Ｘ通信は、前記提案されるスケジュールの確認を前記受信機ＵＥから受信したことに少なくとも部分的に基づいて、前記ビームの前記１つまたは複数の適格なリソースブロックを使用して前記受信機ＵＥに送信される、請求項２３に記載の非一時的コンピュータ可読媒体。
【請求項２５】
前記１つまたは複数の命令は、前記１つまたは複数のプロセッサに、
前記受信機ＵＥから、前記提案されるスケジュールの拒否を受信することと、
前記受信機ＵＥから、更新されたスケジュールを受信することと、
前記更新されたスケジュールに少なくとも部分的に基づいて、前記Ｖ２Ｘ通信のために使用されるべき前記ビームの異なる１つまたは複数の適格なリソースブロックを決定することと、
前記ビームの前記異なる１つまたは複数の適格なリソースブロックを使用して前記受信機ＵＥに前記Ｖ２Ｘ通信を送信することと
をさらに行わせる、請求項２３に記載の非一時的コンピュータ可読媒体。
【請求項２６】
前記スケジュールは、
前記送信機ＵＥの１つまたは複数のスケジュールされたＶ２Ｘ通信、
前記受信機ＵＥの１つまたは複数のスケジュールされたＶ２Ｘ通信、
前記受信機ＵＥとは異なる１つまたは複数のネイバーＵＥの１つまたは複数のスケジュールされたＶ２Ｘ通信、あるいは
それらの組合せ
のうちの少なくとも１つに少なくとも部分的に基づいて決定される、請求項２３に記載の非一時的コンピュータ可読媒体。
【請求項２７】
ワイヤレス通信のための送信機装置であって、
受信機装置にビークルツーエブリシング（Ｖ２Ｘ）通信を送信するために使用されるべきビームを決定するための手段と、
前記ビームに関連付けられたスケジュールに少なくとも部分的に基づいて、前記Ｖ２Ｘ通信のための候補である、前記ビームの１つまたは複数の適格なリソースブロックを決定するための手段と、
前記受信機装置に、前記Ｖ２Ｘ通信のための候補である、前記ビームの前記１つまたは複数の適格なリソースブロックを示す提案されるスケジュールを送信するための手段と、
前記提案されるスケジュールの送信に少なくとも部分的に基づいて、前記ビームを介して前記受信機装置に前記Ｖ２Ｘ通信を送信するための手段と
を備える、送信機装置。
【請求項２８】
前記Ｖ２Ｘ通信は、前記提案されるスケジュールの確認を前記受信機装置から受信したことに少なくとも部分的に基づいて、前記ビームの前記１つまたは複数の適格なリソースブロックを使用して前記受信機装置に送信される、請求項２７に記載の送信機装置。
【請求項２９】
前記受信機装置から、前記提案されるスケジュールの拒否を受信するための手段と、
前記受信機装置から、更新されたスケジュールを受信するための手段と、
前記更新されたスケジュールに少なくとも部分的に基づいて、前記Ｖ２Ｘ通信のために使用されるべき前記ビームの異なる１つまたは複数の適格なリソースブロックを決定するための手段と、
前記ビームの前記異なる１つまたは複数の適格なリソースブロックを使用して前記受信機装置に前記Ｖ２Ｘ通信を送信するための手段と
をさらに備える、請求項２７に記載の送信機装置。
【請求項３０】
前記スケジュールは、
前記送信機装置の１つまたは複数のスケジュールされたＶ２Ｘ通信、
前記受信機装置の１つまたは複数のスケジュールされたＶ２Ｘ通信、
前記受信機装置とは異なる１つまたは複数のネイバー装置の１つまたは複数のスケジュールされたＶ２Ｘ通信、あるいは
それらの組合せ
のうちの少なくとも１つに少なくとも部分的に基づいて決定される、請求項２７に記載の送信機装置。
【発明の詳細な説明】
【米国特許法第１１９条に基づく関連出願の相互参照】
【０００１】
[0001]  本出願は、参照により本明細書に明確に組み込まれる、２０１７年１０月２４日に出願された「ＴＥＣＨＮＩＱＵＥＳ  ＡＮＤ  ＡＰＰＡＲＡＴＵＳＥＳ  ＦＯＲ  ＢＥＡＭ−ＢＡＳＥＤ  ＳＣＨＥＤＵＬＩＮＧ  ＯＦ  ＶＥＨＩＣＬＥ−ＴＯ−ＥＶＥＲＹＴＨＩＮＧ  （Ｖ２Ｘ）  ＣＯＭＭＵＮＩＣＡＴＩＯＮＳ」と題する米国仮特許出願第６２／５７６，４８２号と、２０１８年９月７日に出願された「ＴＥＣＨＮＩＱＵＥＳ  ＡＮＤ  ＡＰＰＡＲＡＴＵＳＥＳ  ＦＯＲ  ＢＥＡＭ−ＢＡＳＥＤ  ＳＣＨＥＤＵＬＩＮＧ  ＯＦ  ＶＥＨＩＣＬＥ−ＴＯ−ＥＶＥＲＹＴＨＩＮＧ  （Ｖ２Ｘ）  ＣＯＭＭＵＮＩＣＡＴＩＯＮＳ」と題する米国非仮特許出願第１６／１２５，１５５号との優先権を主張する。
【技術分野】
【０００２】
[0002]  本開示の態様は、一般にワイヤレス通信に関し、より詳細には、ビークルツーエブリシング（Ｖ２Ｘ）通信のビームベーススケジューリングのための技法および装置に関する。
【背景技術】
【０００３】
[0003]  ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（例えば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。
【０００４】
[0004]  ワイヤレス通信ネットワークは、いくつかのユーザ機器（ＵＥ）のための通信をサポートできるいくつかの基地局（ＢＳ）を含み得る。ユーザ機器（ＵＥ）は、ダウンリンクおよびアップリンクを介して基地局（ＢＳ）と通信し得る。ダウンリンク（または順方向リンク）はＢＳからＵＥへの通信リンクを指し、アップリンク（または逆方向リンク）はＵＥからＢＳへの通信リンクを指す。本明細書でより詳細に説明されるように、ＢＳは、ノードＢ、ｇＮＢ、アクセスポイント（ＡＰ）、ラジオヘッド、送受信ポイント（ＴＲＰ）、新無線（ＮＲ）ＢＳ、５ＧノードＢなどと呼ばれることがある。
【０００５】
[0005]  上記の多元接続技術は、異なるユーザ機器が都市、国家、地域、さらには地球規模で通信することを可能にする共通プロトコルを提供するために、様々な電気通信規格において採用されている。５Ｇと呼ばれることもある、新無線（ＮＲ）は、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新しいスペクトルを利用すること、および、ダウンリンク（ＤＬ）上でサイクリックプレフィックス（ＣＰ）を伴う直交周波数分割多重化（ＯＦＤＭ）（ＣＰ−ＯＦＤＭ）を使用して、アップリンク（ＵＬ）上でＣＰ−ＯＦＤＭおよび／または（例えば、離散フーリエ変換拡散ＯＦＤＭ（ＤＦＴ−ｓ−ＯＦＤＭ）としても知られる）ＳＣ−ＦＤＭを使用して、他のオープン規格とより良く統合すること、並びに、ビームフォーミング、多入力多出力（ＭＩＭＯ）アンテナ技術、およびキャリアアグリゲーションをサポートすることによって、モバイルブロードバンドインターネットアクセスをより良くサポートするように設計されている。しかしながら、モバイルブロードバンドアクセスに対する需要が増加し続けるにつれて、ＬＴＥおよびＮＲ技術をさらに改善する必要がある。好ましくは、これらの改善は、他の多元接続技術と、これらの技術を採用する電気通信規格とに適用可能であるべきである。
【発明の概要】
【０００６】
[0006]  いくつかの態様では、送信機ユーザ機器（ＵＥ）によってワイヤレス通信の方法が行われ得る。本方法は、受信機ＵＥにビークルツーエブリシング（Ｖ２Ｘ）通信を送信するために使用されるべきビームを決定することと、ビームに関連付けられたスケジュールに少なくとも部分的に基づいて、Ｖ２Ｘ通信のための候補である、ビームの１つまたは複数の適格なリソースブロックを決定することと、受信機ＵＥに、Ｖ２Ｘ通信のための候補である、ビームの１つまたは複数の適格なリソースブロックを示す提案されるスケジュールを送信することと、提案されるスケジュールの送信に少なくとも部分的に基づいて、ビームを介して受信機ＵＥにＶ２Ｘ通信を送信することとを含み得る。
【０００７】
[0007]  いくつかの態様では、ワイヤレス通信のための送信機ＵＥは、メモリと、メモリに動作可能に結合された１つまたは複数のプロセッサとを含み得る。メモリと、１つまたは複数のプロセッサとは、受信機ＵＥにビークルツーエブリシング（Ｖ２Ｘ）通信を送信するために使用されるべきビームを決定することと、ビームに関連付けられたスケジュールに少なくとも部分的に基づいて、Ｖ２Ｘ通信のための候補である、ビームの１つまたは複数の適格なリソースブロックを決定することと、受信機ＵＥに、Ｖ２Ｘ通信のための候補である、ビームの１つまたは複数の適格なリソースブロックを示す提案されるスケジュールを送信することと、提案されるスケジュールの送信に少なくとも部分的に基づいて、ビームを介して受信機ＵＥにＶ２Ｘ通信を送信することとを行うように構成され得る。
【０００８】
[0008]  いくつかの態様では、非一時的コンピュータ可読媒体は、ワイヤレス通信のための１つまたは複数の命令を記憶し得る。１つまたは複数の命令は、送信機ＵＥの１つまたは複数のプロセッサによって実行されたとき、１つまたは複数のプロセッサに、受信機ＵＥにビークルツーエブリシング（Ｖ２Ｘ）通信を送信するために使用されるべきビームを決定することと、ビームに関連付けられたスケジュールに少なくとも部分的に基づいて、Ｖ２Ｘ通信のための候補である、ビームの１つまたは複数の適格なリソースブロックを決定することと、受信機ＵＥに、Ｖ２Ｘ通信のための候補である、ビームの１つまたは複数の適格なリソースブロックを示す提案されるスケジュールを送信することと、提案されるスケジュールの送信に少なくとも部分的に基づいて、ビームを介して受信機ＵＥにＶ２Ｘ通信を送信することとを行わせ得る。
【０００９】
[0009]  いくつかの態様では、ワイヤレス通信のための送信機装置は、受信機装置にビークルツーエブリシング（Ｖ２Ｘ）通信を送信するために使用されるべきビームを決定するための手段と、ビームに関連付けられたスケジュールに少なくとも部分的に基づいて、Ｖ２Ｘ通信のための候補である、ビームの１つまたは複数の適格なリソースブロックを決定するための手段と、受信機装置に、Ｖ２Ｘ通信のための候補である、ビームの１つまたは複数の適格なリソースブロックを示す提案されるスケジュールを送信するための手段と、提案されるスケジュールの送信に少なくとも部分的に基づいて、ビームを介して受信機装置にＶ２Ｘ通信を送信するための手段とを含み得る。
【００１０】
[0010]  態様は、概して、添付の図面および明細書を参照しながら本明細書で実質的に説明され、添付の図面および明細書によって示されるように、方法、デバイス、送信機デバイス、受信機デバイス、装置、送信機装置、受信機装置、コンピュータプログラム製品、非一時的コンピュータ可読媒体、ユーザ機器、送信機ユーザ機器、受信機ユーザ機器、ワイヤレス通信デバイス、および処理システムを含む。
【００１１】
[0011]  上記は、以下の詳細な説明がより良く理解され得るように、本開示による例の特徴および技術的利点をかなり広く概説している。追加の特徴および利点について以下で説明される。開示される概念および具体例は、本開示の同じ目的を果たすために他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して検討すると以下の説明からより良く理解されよう。図の各々は、例示および説明のために提供され、特許請求の範囲の限定の定義として提供されるものではない。
【００１２】
[0012]  本開示の上記で具陳された特徴が詳細に理解され得るように、添付の図面にその一部が示されている態様を参照することによって、上記で手短に要約されたより具体的な説明が得られ得る。しかしながら、添付の図面は、本開示のいくつかの典型的な態様のみを示し、従って、その説明は他の等しく有効な態様を許容し得るので、本開示の範囲を限定するものと見なされるべきではないことに留意されたい。異なる図面中の同じ参照番号は、同じまたは同様の要素を識別し得る。
【図面の簡単な説明】
【００１３】
【図１】本開示の様々な態様による、ワイヤレス通信ネットワークの一例を概念的に示すブロック図。
【図２】本開示の様々な態様による、ワイヤレス通信ネットワークにおいてユーザ機器（ＵＥ）と通信している基地局の一例を概念的に示すブロック図。
【図３】本開示の様々な態様による、サイドリンクを介したＶ２Ｘ通信の一例を概念的に示すブロック図。
【図４】本開示の様々な態様による、Ｖ２Ｘ通信のビームベーススケジューリングの例を示す図。
【図５】本開示の様々な態様による、Ｖ２Ｘ通信のビームベーススケジューリングの例を示す図。
【図６】本開示の様々な態様による、Ｖ２Ｘ通信のビームベーススケジューリングの例を示す図。
【図７】本開示の様々な態様による、Ｖ２Ｘ通信のビームベーススケジューリングの例を示す図。
【図８】本開示の様々な態様による、例えば、ユーザ機器によって行われる例示的なプロセスを示す図。
【詳細な説明】
【００１４】
[0018]  本開示の様々な態様について、添付の図面を参照しながら以下でより完全に説明される。しかしながら、本開示は、多くの異なる形態で具現化され得、本開示全体にわたって提示されるいずれかの特定の構造または機能に限定されると解釈されるべきではない。そうではなく、これらの態様は、本開示が周到で完全になり、本開示の範囲を当業者に十分に伝えるように提供される。本明細書の教示に基づいて、当業者は、本開示の範囲が、本開示の他の態様とは無関係に実施されるか、本開示の他の態様と組み合わされて実施されるかにかかわらず、本明細書で開示される本開示のいかなる態様をも包含するものであることを諒解されたい。例えば、本明細書に記載の態様をいくつ使用しても、装置は実施され得るか、または方法は実践され得る。加えて、本開示の範囲は、本明細書に記載の本開示の様々な態様に加えて、または本開示の様々な態様以外の他の構造、機能、または構造と機能を使用して実践される装置あるいは方法を包含するものである。本明細書で開示される開示のいかなる態様も、請求項の１つまたは複数の要素によって具現化され得ることを理解されたい。
【００１５】
[0019]  次に、様々な装置および技法を参照しながら電気通信システムのいくつかの態様が提示される。これらの装置および技法は、以下の詳細な説明において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実施され得る。そのような要素がハードウェアとして実施されるか、ソフトウェアとして実施されるかは、特定の適用例および全体的なシステムに課された設計制約に依存する。
【００１６】
[0020]  本明細書では、３Ｇおよび／または４Ｇワイヤレス技術に一般に関連する用語を使用して態様について説明されることがあるが、本開示の態様は、ＮＲ技術を含む、５Ｇ以降など、他の世代ベースの通信システムにおいて適用され得ることに留意されたい。
【００１７】
[0021]  図１は、本開示の態様が実践され得るネットワーク１００を示す図である。ネットワーク１００は、ＬＴＥネットワーク、あるいは５ＧまたはＮＲネットワークなど、何らかの他のワイヤレスネットワークであり得る。ワイヤレスネットワーク１００は、（ＢＳ１１０ａ、ＢＳ１１０ｂ、ＢＳ１１０ｃ、およびＢＳ１１０ｄとして示されている）いくつかのＢＳ１１０と、他のネットワークエンティティとを含み得る。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送受信ポイント（ＴＲＰ）などと呼ばれることもある。各ＢＳは、特定の地理的エリアに通信カバレージを提供し得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００１８】
[0022]  ＢＳは、マクロセル、ピコセル、フェムトセル、および／または別のタイプのセルのための通信カバレージを提供し得る。マクロセルは、比較的大きい地理的エリア（例えば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（例えば、自宅）をカバーし得、フェムトセルとの関連付けを有するＵＥ（例えば、限定加入者グループ（ＣＳＧ）中のＵＥ）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳはフェムトＢＳまたはホームＢＳと呼ばれることがある。図１に示されている例では、ＢＳ１１０ａはマクロセル１０２ａのためのマクロＢＳであり得、ＢＳ１１０ｂはピコセル１０２ｂのためのピコＢＳであり得、ＢＳ１１０ｃはフェムトセル１０２ｃのためのフェムトＢＳであり得る。ＢＳは、１つまたは複数（例えば、３つ）のセルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書では互換的に使用され得る。
【００１９】
[0023]  いくつかの態様では、セルは必ずしも固定であるとは限らないことがあり、セルの地理的エリアは、モバイルＢＳのロケーションに従って移動することがある。いくつかの態様では、ＢＳは、任意の好適なトランスポートネットワークを使用して、直接物理接続、仮想ネットワークなど、様々なタイプのバックホールインターフェースを通して、互いにおよび／あるいはアクセスネットワーク１００中の１つまたは複数の他のＢＳまたはネットワークノード（図示されず）に相互接続され得る。
【００２０】
[0024]  ワイヤレスネットワーク１００はまた、リレー局を含み得る。リレー局は、上流局（例えば、ＢＳまたはＵＥ）からデータの送信を受信し、そのデータの送信を下流局（例えば、ＵＥまたはＢＳ）に送ることができるエンティティである。リレー局はまた、他のＵＥへの送信を中継できるＵＥであり得る。図１に示されている例では、リレー局１１０ｄは、マクロＢＳ１１０ａとＵＥ１２０ｄとの間の通信を容易にするために、ＢＳ１１０ａおよびＵＥ１２０ｄと通信し得る。リレー局は、リレーＢＳ、リレー基地局、リレーなどと呼ばれることもある。
【００２１】
[0025]  ワイヤレスネットワーク１００は、異なるタイプのＢＳ、例えば、マクロＢＳ、ピコＢＳ、フェムトＢＳ、リレーＢＳなどを含む異種ネットワークであり得る。これらの異なるタイプのＢＳは、異なる送信電力レベル、異なるカバレージエリア、およびワイヤレスネットワーク１００における干渉に対する異なる影響を有し得る。例えば、マクロＢＳは、高い送信電力レベル（例えば、５〜４０ワット）を有し得るが、ピコＢＳ、フェムトＢＳ、およびリレーＢＳは、より低い送信電力レベル（例えば、０．１〜２ワット）を有し得る。
【００２２】
[0026]  ネットワークコントローラ１３０は、ＢＳのセットに結合し得、これらのＢＳの協調および制御を行い得る。ネットワークコントローラ１３０は、バックホールを介してＢＳと通信し得る。ＢＳはまた、例えば、ワイヤレスまたはワイヤラインバックホールを介して直接または間接的に互いに通信し得る。
【００２３】
[0027]  ＵＥ１２０（例えば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン（例えば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサー／生体デバイス、ウェアラブルデバイス（スマートウォッチ、スマート衣類、スマートグラス、スマートリストバンド、スマートジュエリー（例えば、スマートリング、スマートブレスレット））、エンターテインメントデバイス（例えば、音楽デバイスまたはビデオデバイス、あるいは衛星ラジオ）、車両構成要素または車両センサー、スマートメーター／スマートセンサー、工業用製造機器、全地球測位システムデバイス、あるいはワイヤレス媒体またはワイヤード媒体を介して通信するように構成された任意の他の好適なデバイスであり得る。
【００２４】
[0028]  いくつかのＵＥは、マシンタイプ通信（ＭＴＣ）ＵＥあるいは発展型または拡張マシンタイプ通信（ｅＭＴＣ）ＵＥと見なされ得る。ＭＴＣ  ＵＥおよびｅＭＴＣ  ＵＥは、例えば、基地局、別のデバイス（例えば、リモートデバイス）、または何らかの他のエンティティと通信し得る、センサー、メーター、モニタ、ロケーションタグなど、ロボット、ドローン、リモートデバイスを含む。ワイヤレスノードは、例えば、ワイヤードまたはワイヤレス通信リンクを介した、ネットワーク（例えば、インターネットまたはセルラーネットワークなど、ワイドエリアネットワーク）のための、またはネットワークへの接続性を提供し得る。いくつかのＵＥは、モノのインターネット（ＩｏＴ）デバイスと見なされ得、および／またはＮＢ−ＩｏＴ（狭帯域モノのインターネット）デバイスとして実施され得るとして実施され得る。いくつかのＵＥは顧客構内機器（ＣＰＥ：Customer Premises Equipment）と見なされ得る。ＵＥ１２０は、プロセッサ構成要素、メモリ構成要素など、ＵＥ１２０の構成要素を格納するハウジング内に含まれ得る。
【００２５】
[0029]  概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間の干渉を回避するために、所与の地理的エリアの中で単一のＲＡＴをサポートし得る。いくつかの場合には、ＮＲまたは５Ｇ  ＲＡＴネットワークが展開され得る。
【００２６】
[0030]  いくつかの態様では、（例えば、ＵＥ１２０ａおよびＵＥ１２０ｅとして示されている）２つ以上のＵＥ１２０は、（例えば、互いに通信するために媒介として基地局１１０を使用せずに）１つまたは複数のサイドリンクチャネルを使用して直接通信し得る。例えば、ＵＥ１２０は、ピアツーピア（Ｐ２Ｐ）通信、デバイス間（Ｄ２Ｄ）通信、（例えば、車両間（Ｖ２Ｖ）プロトコル、ビークルツーインフラストラクチャ（Ｖ２Ｉ）プロトコルなどを含み得る）ビークルツーエブリシング（Ｖ２Ｘ）プロトコル、メッシュネットワークなどを使用して通信し得る。この場合、ＵＥ１２０は、スケジューリング動作、リソース選択動作、および／または基地局１１０によって行われるものとして本明細書の他の場所で説明される他の動作を行い得る。
【００２７】
[0031]  上記のように、図１は一例として提供されるにすぎない。他の例が可能であり、図１に関して説明されたものとは異なり得る。
【００２８】
[0032]  図２は、図１の基地局のうちの１つであり得る基地局１１０と、図１のＵＥのうちの１つであり得るＵＥ１２０との設計のブロック図を示す。基地局１１０はＴ個のアンテナ２３４ａ〜２３４ｔを装備し得、ＵＥ１２０はＲ個のアンテナ２５２ａ〜２５２ｒを装備し得、ここで、概してＴ≧１およびＲ≧１である。
【００２９】
[0033]  基地局１１０において、送信プロセッサ２２０が、１つまたは複数のＵＥについてデータソース２１２からデータを受信し、ＵＥから受信されたチャネル品質インジケータ（ＣＱＩ）に少なくとも部分的に基づいて各ＵＥのための１つまたは複数の変調およびコーディング方式（ＭＣＳ）を選択し、そのＵＥのために選択されたＭＣＳに少なくとも部分的に基づいて各ＵＥのためのデータを処理（例えば、符号化および変調）し、全てのＵＥについてデータシンボルを提供し得る。送信プロセッサ２２０はまた、（例えば、半静的リソース区分情報（ＳＲＰＩ）などのための）システム情報および制御情報（例えば、ＣＱＩ要求、許可、上位レイヤシグナリングなど）を処理し、オーバーヘッドシンボルおよび制御シンボルを提供し得る。送信プロセッサ２２０はまた、基準信号（例えば、セル固有基準信号（ＣＲＳ））および同期信号（例えば、１次同期信号（ＰＳＳ）および２次同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（例えば、プリコーディング）を行い得、Ｔ個の出力シンボルストリームをＴ個の変調器（ＭＯＤ）２３２ａ〜２３２ｔに提供し得る。各変調器２３２は、出力サンプルストリームを取得するために、（例えば、ＯＦＤＭなどのために）それぞれの出力シンボルストリームを処理し得る。各変調器２３２は、さらに、ダウンリンク信号を取得するために、出力サンプルストリームを処理（例えば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。以下でより詳細に説明される様々な態様によれば、同期信号は、追加の情報を搬送するためにロケーション符号化を用いて生成され得る。
【００３０】
[0034]  ＵＥ１２０において、アンテナ２５２ａ〜２５２ｒは、基地局１１０および／または他の基地局からダウンリンク信号を受信し得、受信信号をそれぞれ復調器（ＤＥＭＯＤ）２５４ａ〜２５４ｒに提供し得る。各復調器２５４は、入力サンプルを取得するために、受信信号を調整（例えば、フィルタ処理、増幅、ダウンコンバート、およびデジタル化）し得る。各復調器２５４は、さらに、受信シンボルを取得するために、（例えば、ＯＦＤＭなどのために）入力サンプルを処理し得る。ＭＩＭＯ検出器２５６は、全てのＲ個の復調器２５４ａ〜２５４ｒから受信シンボルを取得し、適用可能な場合、受信シンボルに対してＭＩＭＯ検出を行い、検出されたシンボルを提供し得る。受信プロセッサ２５８は、検出されたシンボルを処理（例えば、復調および復号）し、ＵＥ１２０のための復号されたデータをデータシンク２６０に提供し、復号された制御情報およびシステム情報をコントローラ／プロセッサ２８０に提供し得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）などを決定し得る。
【００３１】
[0035]  アップリンク上では、ＵＥ１２０において、送信プロセッサ２６４が、データソース２６２からのデータと、コントローラ／プロセッサ２８０からの（例えば、ＲＳＲＰ、ＲＳＳＩ、ＲＳＲＱ、ＣＱＩなどを備える報告のための）制御情報とを受信および処理し得る。送信プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（例えば、ＤＦＴ−ｓ−ＯＦＤＭ、ＣＰ−ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合、ＭＩＭＯ検出器２３６によって検出され、ＵＥ１２０によって送られた復号されたデータおよび制御情報を取得するために受信プロセッサ２３８によってさらに処理され得る。受信プロセッサ２３８は、復号されたデータをデータシンク２３９に提供し、復号された制御情報をコントローラ／プロセッサ２４０に提供し得る。基地局１１０は、通信ユニット２４４を含み得、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３２】
[0036]  図２は完全性のために基地局１１０と、ＵＥ１２０とネットワークコントローラ１３０との構成要素を示しているが、いくつかの態様では、２つ以上のＵＥ１２０は、（例えば、媒介として基地局１１０と通信せずに）サイドリンクを介して互いに直接通信し得る。この場合、ＵＥ１２０の１つまたは複数の構成要素は、（例えば、スケジューリング、リソース選択などのために）基地局１１０の１つまたは複数の構成要素によって行われるものとして本明細書で説明される１つまたは複数の動作または機能を行い得る。
【００３３】
[0037]  いくつかの態様では、ＵＥ１２０の１つまたは複数の構成要素はハウジング中に含まれ得る。図２の基地局１１０のコントローラ／プロセッサ２４０、ＵＥ１２０のコントローラ／プロセッサ２８０、および／または任意の他の構成要素は、本明細書の他の場所でより詳細に説明されるように、Ｖ２Ｘ通信のビームベーススケジューリングに関連する１つまたは複数の技法を行い得る。例えば、図２の基地局１１０のコントローラ／プロセッサ２４０、ＵＥ１２０のコントローラ／プロセッサ２８０、および／または任意の他の構成要素は、例えば、図８のプロセス８００および／または本明細書で説明される他のプロセスの動作を行うか指示し得る。メモリ２４２および２８２は、それぞれ、基地局１１０およびＵＥ１２０のためのデータおよびプログラムコードを記憶し得る。スケジューラ２４６は、ダウンリンクおよび／またはアップリンク上のデータ送信のためにＵＥをスケジュールし得る。
【００３４】
[0038]  いくつかの態様では、ＵＥ１２０は、Ｖ２Ｘ通信を送信するために使用されるべきビームを決定するための手段、ビームに関連付けられたスケジュールに少なくとも部分的に基づいて、Ｖ２Ｘ通信のための候補である、ビームの１つまたは複数の適格なリソースブロックを決定するための手段、Ｖ２Ｘ通信のための候補である、ビームの１つまたは複数の適格なリソースブロックを示す提案されるスケジュールを送信するための手段、提案されるスケジュールに少なくとも部分的に基づいてＶ２Ｘ通信を送信するための手段などを含み得る。追加または代替として、ＵＥ１２０は、提案されるスケジュールの拒否を受信機ＵＥから受信するための手段、受信機ＵＥから、更新されたスケジュールを受信するための手段、更新されたスケジュールに少なくとも部分的に基づいて、Ｖ２Ｘ通信のために使用されるべきビームの異なる１つまたは複数の適格なリソースブロックを決定するための手段、ビームの異なる１つまたは複数の適格なリソースブロックを使用して受信機ＵＥにＶ２Ｘ通信を送信するための手段を含み得る。追加または代替として、ＵＥ１２０は、Ｖ２Ｘ通信を送信するために使用されるべき１つまたは複数の選択されたリソースブロックを示すようにビームのスケジュールを更新するための手段、ビームの更新されたスケジュールを１つまたは複数のネイバーＵＥに送信するための手段などを含み得る。追加または代替として、ＵＥ１２０は、本明細書で説明される１つまたは複数の他の動作を行いための手段を含み得る。いくつかの態様では、そのような手段は、図２に関して説明されるＵＥ１２０の１つまたは複数の構成要素を含み得る。
【００３５】
[0039]  上記のように、図２は一例として提供されるにすぎない。他の例が可能であり、図２に関して説明されたものとは異なり得る。
【００３６】
[0040]  図３は、本開示の様々な態様による、サイドリンクを介したＶ２Ｘ通信の例３００を概念的に示すブロック図である。
【００３７】
[0041]  図３に示されているように、第１のＵＥ３０５−１は、１つまたは複数のサイドリンクチャネル３１０を介してデバイス間（Ｄ２Ｄ）通信を使用して第２のＵＥ３０５−２（および１つまたは複数の他のＵＥ３０５）と通信し得る。いくつかの態様では、ＵＥ３０５は、ＵＥ１２０など、本明細書の他の場所で説明される１つまたは複数の他のＵＥに対応し得る。いくつかの態様では、サイドリンクチャネル３１０は、ＰＣ５インターフェースを使用し得、および／または高周波数帯域（例えば、５．９ＧＨｚ帯域）において動作し得る。追加または代替として、ＵＥ３０５は、グローバルナビゲーション衛星システム（ＧＮＳＳ）タイミングを使用して送信時間間隔（例えば、フレーム、サブフレーム、スロットなど）のタイミングを同期させ得る。ＵＥ３０５は、サイドリンクチャネル３１０を使用してＶ２Ｘ通信を送信し得る。
【００３８】
[0042]  いくつかの態様では、Ｖ２Ｘ送信は、１対多のブロードキャストおよび／またはマルチキャスト送信であり得る。いくつかの態様では、Ｖ２Ｘ送信は、肯定応答（ＡＣＫ）または否定応答（ＮＡＣＫ）フィードバックなど、受信デバイスからのどんな物理レイヤフィードバックも必要としないことがある。いくつかの態様では、Ｖ２Ｘ送信は、再送信なしに構成され得る。いくつかの態様では、Ｖ２Ｘ送信は、（例えば、ＡＣＫ／ＮＡＣＫフィードバックなしに）常に行われる少数の再送信（例えば、１つの再送信）を用いて構成され得る。
【００３９】
[0043]  図３にさらに示されているように、サイドリンクチャネル３１０は、物理サイドリンク制御チャネル（ＰＳＣＣＨ）３１５と、物理サイドリンク共有チャネル（ＰＳＳＣＨ）３２０とを含み得る。ＰＳＣＣＨ３１５は、基地局１１０との通信のために使用される物理ダウンリンク制御チャネル（ＰＤＣＣＨ）および／または物理アップリンク制御チャネル（ＰＵＣＣＨ）と同様に、制御情報を通信するために使用され得る。ＰＳＳＣＨ３２０は、基地局１１０との通信のために使用される物理ダウンリンク共有チャネル（ＰＤＳＣＨ）および／または物理アップリンク共有チャネル（ＰＵＳＣＨ）と同様に、データを通信するために使用され得る。例えば、ＰＳＣＣＨ３１５は、１つまたは複数のリソース（例えば、時間、周波数、および／またはビームリソース）など、サイドリンク通信のために使用される様々な制御情報を示し得る、サイドリンク制御情報（ＳＣＩ）３２５を搬送し得、ここで、データを含むトランスポートブロック（ＴＢ）３３０は、ＰＳＳＣＨ３２０並びに／あるいはＰＳＳＣＨ３２０を介して搬送されるデータを受信、復号、および／または復調するのを支援するために使用され得る他の制御情報上で搬送される。ＴＢ３３０は、基本安全性メッセージ（ＢＳＭ）、交通情報メッセージ（ＴＩＭ）、信号フェーズおよび時間（ＳＰＡＴ）メッセージ、地理的道路情報を搬送するためのＭＡＰメッセージ、協働アウェアネスメッセージ（ＣＡＭ）、分散環境通知メッセージ（ＤＥＮＭ）、車載情報（ＩＶＩ）メッセージなど、Ｖ２Ｘデータを含み得る。いくつかの態様では、Ｖ２Ｘデータは、ＵＥ３０５に関連付けられた車両の動作に関係するデータを含み得る。
【００４０】
[0044]  いくつかの態様では、サイドリンクチャネル３１０はリソースプールを使用し得る。例えば、（例えば、ＳＣＩ３２５中に含まれる）スケジューリング割当てが、時間にわたって特定のリソースブロック（ＲＢ）を使用してサブチャネル中で送信され得る。いくつかの態様では、スケジューリング割当てに関連する（例えば、ＰＳＳＣＨ３２０上の）データ送信は、（例えば、周波数分割多重化を使用して）スケジューリング割当てと同じサブフレーム中の隣接するＲＢを占有し得る。いくつかの態様では、スケジューリング割当ておよび関連するデータ送信は、隣接するＲＢ上で送信されない。
【００４１】
[0045]  いくつかの態様では、ＵＥ３０５は送信モード４を使用して動作し得、ここで、リソース選択および／またはスケジューリングは（例えば、基地局１１０ではなく）ＵＥ３０５によって行われる。いくつかの態様では、ＵＥ３０５は、送信のためのチャネル利用可能性を感知することによってリソース選択および／またはスケジューリングを行い得る。例えば、ＵＥ３０５は、様々なサイドリンクチャネルに関連する受信信号強度インジケータ（ＲＳＳＩ）パラメータ（例えば、サイドリンクＲＳＳＩ（Ｓ−ＲＳＳＩ）パラメータ）を測定し得、様々なサイドリンクチャネルに関連する基準信号受信電力（ＲＳＲＰ）パラメータ（例えば、ＰＳＳＣＨ−ＲＳＲＰパラメータ）を測定し得、様々なサイドリンクチャネルに関連する基準信号受信品質（ＲＳＲＱ）パラメータ（例えば、ＰＳＳＣＨ−ＲＳＲＱパラメータ）などを測定し得、その測定に少なくとも部分的に基づいてＶ２Ｘ通信の送信のためのチャネルを選択し得る。
【００４２】
[0046]  追加または代替として、ＵＥ３０５は、占有リソース、チャネルパラメータなどを示し得る、ＰＳＣＣＨ３１５中で受信されたＳＣＩ３２５を使用してリソース選択および／またはスケジューリングを行い得る。追加または代替として、ＵＥ３０５は、（例えば、サブフレームの特定のセットのためにＵＥ３０５が使用できるリソースブロックの最大数を示すことによって）レート制御のために使用され得る、様々なサイドリンクチャネルに関連するチャネルビジーレート（ＣＢＲ）を決定することによってリソース選択および／またはスケジューリングを行い得る。
【００４３】
[0047]  図３にさらに示されているように、ＵＥ３０５は、１つまたは複数のビーム３３５を使用して他のＵＥ３０５と通信し得る。例えば、ＵＥ３０５は、ミリメートル波周波数帯域においてミリメートル波ビーム３３５を使用するビームフォーミングをサポートするために複数のアンテナ要素を含み得る。いくつかの態様では、ＵＥ３０５は、ビーム３３５のために異なるビーム幅をサポートしおよび／または動的に構成し得、それにより、ビーム３３５の距離が変更され得る（例えば、より短い距離をもつより広いビーム、またはより長い距離をもつより狭いビーム）。ミリメートル波ビーム３３５は、Ｖ２Ｘ通信のために（例えば、カメラフィードなどを送信するために）有用であり得る、サブ６ＧＨｚ送信よりも高いスループットが可能であり得る。
【００４４】
[0048]  図示のように、第１のＵＥ３０５−１は、アクティブビーム３４０を使用して第２のＵＥ３０５−２と通信し得る。いくつかの態様では、第１のＵＥ３０５−１は、１つまたは複数の他のビーム３３５を使用して１つまたは複数の他のＵＥ３０５と通信し得る。いくつかの態様では、ＵＥ３０５は、通信を同時に送信および／または受信するために使用され得る（例えば、同時にアクティブになり得る）ビーム３３５の数が制限されることがある。いくつかの態様では、この制限は、ＵＥ３０５中に含まれるアンテナアレイの数に少なくとも部分的に基づき得る。例えば、ＵＥ３０５は、特定の時間（例えば、スロット、サブフレームなどの送信時間間隔）に単一のビーム３３５のみを使用することに制限され得、特定の時間に２つのビーム３３５のみを使用することなどに制限され得る。
【００４５】
[0049]  ビーム３３５は制限されたリソースであるので、ＵＥ３０５は、送信のための通信をスケジュールするとき、時間および周波数リソースを考慮することに加えてこのリソースを考慮しなければならない。第１のＵＥ３０５−１は、第２のＵＥ３０５−２のアクティブビーム３４０の方向に関する情報を有しないことがあり、従って、第２のＵＥ３０５−２が第１のＵＥ３０５−１からの送信を受信するために利用可能であるかどうかを決定することが可能でないことがあるので、スケジューリング決定はさらに複雑になり得る。
【００４６】
[0050]  本明細書で説明されるいくつかの技法および装置は、Ｖ２Ｘ通信をスケジュールするときにビーム方向性を考慮する。これは、Ｖ２Ｘ通信システムにおけるスケジューリング決定を改善し得、Ｖ２Ｘ送信の成功した受信の尤度を高め得、Ｖ２Ｘ通信システムにおける干渉を低減し得、Ｖ２Ｘ通信のより効率的なスケジューリングを可能などし得る。
【００４７】
[0051]  上記のように、図３は一例として提供されるにすぎない。他の例が可能であり、図３に関して説明されたものとは異なり得る。
【００４８】
[0052]  図４は、本開示の様々な態様による、Ｖ２Ｘ通信のビームベーススケジューリングの例４００を示す図である。
【００４９】
[0053]  図４に示されているように、送信機ＵＥ４０５は送信機車両（ＴＶ）４１０に関連付けられ得、受信機ＵＥ４１５は受信機車両（ＲＶ）４２０に関連付けられ得、１つまたは複数のネイバーＵＥ４２５は、対応する１つまたは複数のネイバー車両（ＮＶ）４３０に関連付けられ得る。送信機ＵＥ４０５、受信機ＵＥ４１５、および／またはネイバーＵＥ４２５は、ＵＥ１２０、ＵＥ３０５など、本明細書の他の場所で説明される１つまたは複数のＵＥに対応し得る。いくつかの態様では、ＵＥ４０５、４１５、４２５は、車両４１０、４２０、４３０に組み込まれ得、車両４１０、４２０、４３０中にまたはそれらの上に配置などされ得る。車両４１０、４２０、４３０は、自律車両、半自律車両、非自律車両などを含み得る。図４のＵＥ４０５、４１５、４２５は車両４１０、４２０、４３０に関連付けられるものとして示されているが、いくつかの態様では、ＵＥ４０５、４１５、４２５のうちの１つまたは複数が車両４１０、４２０、４３０に関連付けられないことがある。例えば、ＵＥ４０５、４１５、４２５は、インフラストラクチャ（例えば、交通信号、車線信号、センサー、交通コントローラシステムなどの交通インフラストラクチャ）、（例えば、ウェアラブルデバイスを介して）歩行者などに関連付けられ得る。
【００５０】
[0054]  送信機ＵＥ４０５、受信機ＵＥ４１５、および／またはネイバーＵＥ４２５は、図３に関して上記で説明されたように、ＳＣＩ３２５および対応するＴＢ３３０を交換するために１つまたは複数のサイドリンクチャネル３１０を介して通信し得る。本明細書で使用されるように、送信機ＵＥ４０５および送信機車両４１０という用語は、特定のＶ２Ｘ通信の送信をスケジュールし、特定のＶ２Ｘ通信を受信機ＵＥ４１５に送信するＵＥおよび／または車両を記述するために使用される。本明細書で使用されるように、受信機ＵＥ４１５および受信機車両４２０という用語は、送信機ＵＥ４０５から特定のＶ２Ｘ通信を受信するＵＥおよび／または車両を記述するために使用される。本明細書で使用されるように、ネイバーＵＥ４２５およびネイバー車両４３０という用語は、特定のＶ２Ｘ通信を送信または受信しないが、特定のＶ２Ｘ通信のスケジューリングに影響を及ぼし得るＵＥおよび／または車両を記述するために使用される。従って、単一のＵＥは、（例えば、他のＵＥにＶ２Ｘ通信を送信する）送信機ＵＥ４０５、（例えば、他のＵＥからＶ２Ｘ通信を受信する）受信機ＵＥ４１５、および（例えば、他のＵＥのスケジューリング決定に影響を及ぼす）ネイバーＵＥ４２５として動作することが可能であり得る。
【００５１】
[0055]  参照番号４３５によって示されているように、送信機ＵＥ４０５は、受信機ＵＥ４１５にＶ２Ｘ通信を送信するために使用されるべきビームを決定し得る。Ｖ２Ｘ通信は、図３に関して上記で説明されたように、ＳＣＩ３２５および／あるいは１つまたは複数のＴＢ３３０を含み得る。図４に示されているように、送信機車両４１０の近傍にある車両のロケーションに少なくとも部分的に基づいて、送信機ＵＥ４０５は、（ビーム１として示されている）第１のビームが、（ＮＶ１に関連付けられた）第１のネイバーＵＥ４２５と通信するために使用されるべきであり、（ビーム２として示されている）第２のビームが、（ＮＶ２に関連付けられた）第２のネイバーＵＥ４２５と通信するために使用されるべきであり、（ビーム３として示されている）第３のビームが、（ＮＶ３に関連付けられた）第３のネイバーＵＥ４２５および受信機ＵＥ４１５と通信するために使用されるべきであると決定し得る。従って、いくつかの場合には、送信機ＵＥ４０５は、ビームの経路に沿って配置された複数のＵＥと通信するために単一のビームを使用し得る。図示のように、送信機ＵＥ４０５は、送信機ＵＥ４０５に対する受信機ＵＥ４１５のロケーションにより、受信機ＵＥ４１５と通信するためにビーム３が使用されるべきであると決定し得る。
【００５２】
[0056]  参照番号４４０によって示されているように、送信機ＵＥ４０５は、ビームに関連付けられたスケジュールに少なくとも部分的に基づいて、Ｖ２Ｘ通信に適格である、ビームの１つまたは複数のリソースブロック（ＲＢ）を決定し得る。いくつかの態様では、異なるビームは、異なるスケジュールに関連付けられ得、Ｖ２Ｘ通信のために利用可能な（例えば、適格な）異なるリソースブロックを有し得る。
【００５３】
[0057]  いくつかの態様では、リソースブロックは、そのリソースブロックが送信機ＵＥ４０５によって使用されるようにすでにスケジュールされている場合、Ｖ２Ｘ通信に適格でないことがある。例えば、送信機ＵＥ４０５が、リソースブロックを使用してＶ２Ｘ通信を送信するようにスケジュールされた場合、送信機ＵＥ４０５は、そのリソースブロックを使用して別のＶ２Ｘ通信の送信をスケジュールしないことがある。追加または代替として、送信機ＵＥ４０５が全二重モードで動作することが可能でなく、送信機ＵＥ４０５が、リソースブロックを使用してＶ２Ｘ通信を受信するようにスケジュールされた場合、送信機ＵＥ４０５は、そのリソースブロックを使用してＶ２Ｘ通信の送信をスケジュールしないことがある。追加または代替として、送信機ＵＥ４０５は、制限された数のビーム（例えば、１つのビーム、２つのビームなど）の上でＶ２Ｘ通信を同時に送信および／または受信することのみが可能であり得る。従って、送信機ＵＥ４０５が、特定の時間に第１のビーム上で送信および／または受信するようにスケジュールされた場合、送信機ＵＥ４０５は、その特定の時間に第２のビーム上でＶ２Ｘ通信をスケジュールすることが可能でないことがある。
【００５４】
[0058]  例４００では、送信機ＵＥ４０５は、時間１および時間２において周波数１上でビーム３上でＶ２Ｘ通信を送信するようにスケジュールされる。その結果、ビーム３上のこれらのＲＢは、送信機ＵＥ４０５によって送信されるべき別のＶ２Ｘ通信をスケジュールするのに適格でない。さらに、ビーム１上で、時間１または時間２において生じるＲＢの全ては、（例えば、送信機ＵＥ４０５が一度に単一のビーム上でのみ送信することが可能であると仮定すると）Ｖ２Ｘ通信をスケジュールするのに適格でない。しかしながら、送信機ＵＥ４０５が、（例えば、送信機ＵＥ４０５が同時送信のために使用することが可能であるビームの最大数を生じやすい）複数のビーム上の同時送信が可能である場合、これらのＲＢは、Ｖ２Ｘ通信をスケジュールするのに適格になるであろう。
【００５５】
[0059]  いくつかの態様では、リソースブロックは、そのリソースブロックが受信機ＵＥ４１５によって使用されるようにすでにスケジュールされている場合、Ｖ２Ｘ通信に適格でないことがある。例えば、受信機ＵＥ４１５が、リソースブロックを使用してＶ２Ｘ通信を送信するようにスケジュールされた場合、送信機ＵＥ４０５は、（例えば、受信機ＵＥ４１５が全二重モードで動作することが可能でない限り）そのリソースブロックを使用して受信機ＵＥ４１５への別のＶ２Ｘ通信の送信をスケジュールしないことがある。追加または代替として、受信機ＵＥ４１５が、リソースブロックを使用してＶ２Ｘ通信を受信するようにスケジュールされた場合、送信機ＵＥ４０５は、そのリソースブロックを使用して受信機ＵＥ４１５へのＶ２Ｘ通信の送信をスケジュールしないことがある。追加または代替として、受信機ＵＥ４１５は、制限された数のビーム（例えば、１つのビーム、２つのビームなど）の上でＶ２Ｘ通信を同時に送信および／または受信することのみが可能であり得る。従って、受信機ＵＥ４１５が、特定の時間に第１のビーム上で送信および／または受信するようにスケジュールされた場合、送信機ＵＥ４０５は、その特定の時間に第２のビーム上で受信機ＵＥ４１５にＶ２Ｘ通信を送信することが可能でないことがある。
【００５６】
[0060]  例４００では、受信機ＵＥ４１５は、時間３において周波数１上でビーム３上でＶ２Ｘ通信の送信または受信のいずれかを行うようにスケジュールされる。その結果、このＲＢは、送信機ＵＥ４０５によって受信機ＵＥ４１５に送信されるべきＶ２Ｘ通信をスケジュールするのに適格でない。例えば、受信機ＵＥ４１５が、時間３において周波数１上でビーム３上でＶ２Ｘ通信を送信するようにスケジュールされた場合、受信機ＵＥ４１５は、時間３において周波数１、２、３および他の周波数で送信機ＵＥ４０５からＶ２Ｘ送信を受信することが可能でないことがある。受信機ＵＥ４１５が、時間３において周波数１上でビーム３上でＶ２Ｘ通信を受信するようにスケジュールされた場合、受信機ＵＥ４１５は、時間３において周波数１上で送信機ＵＥ４０５からＶ２Ｘ送信を受信することが可能でないことがある。しかしながら、受信機ＵＥ４１５がこのＲＢを使用して送信中であり、全二重モードで動作することが可能である場合（例えば、受信機ＵＥ４１５が、このＲＢを使用して通信を受信するようにスケジュールされない場合）、このＲＢは、Ｖ２Ｘ通信をスケジュールするのに適格になるであろう。このようにして、送信機ＵＥ４０５は、受信機ＵＥ４１５による受信の尤度を高めるように送信をスケジュールし得る。いくつかの態様では、受信機ＵＥ４１５が、ビーム３と同じビーム方向のＶ２Ｘ通信のためにリソースブロックをスケジュールした場合、そのリソースブロックは、送信機ＵＥ４０５から受信機ＵＥ４１５へのＶ２Ｘ通信に不適格であり得る。しかしながら、同じ時間および異なる周波数に関連付けられた他のリソースブロックは、Ｖ２Ｘ通信に適格であり得る。例えば、時間３において周波数１をもつリソースブロックは不適格であるが、時間３において周波数２および周波数３をもつリソースブロックは適格である。
【００５７】
[0061]  いくつかの態様では、送信機ＵＥ４０５に対して受信機ＵＥ４１５と同じ方向に配置されたネイバーＵＥ４２５（例えば、受信機ＵＥ４１５と通信するために送信機ＵＥ４０５によって使用されるビームと同じビームを使用して送信機ＵＥ４０５がそれと通信し得るネイバーＵＥ４２５）によって使用されるように、リソースブロックがすでにスケジュールされている場合、そのリソースブロックは、Ｖ２Ｘ通信に適格でないことがある。例えば、ネイバーＵＥ４２５が、ビームのリソースブロックを使用してＶ２Ｘ通信を送信するようにスケジュールされた場合、送信機ＵＥ４０５は、（例えば、複数のＶ２Ｘ通信間の干渉を低減するために）ビームのそのリソースブロックを使用して受信機ＵＥ４１５へのＶ２Ｘ通信の送信をスケジュールしないことがある。追加または代替として、ネイバーＵＥ４２５が、ビームのリソースブロックを使用してＶ２Ｘ通信を受信するようにスケジュールされた場合、送信機ＵＥ４０５は、ビームのそのリソースブロックを使用してＶ２Ｘ通信の送信をスケジュールしないことがある。
【００５８】
[0062]  従って、送信機ＵＥ４０５は、１つまたは複数のネイバーＵＥ４２５が、受信機ＵＥ４１５にＶ２Ｘ通信を送信するために使用されるべきビームと同じビーム方向にリソースブロックを使用して通信している場合、ビームスケジュール中のリソースブロックがＶ２Ｘ通信に不適格であると決定し得る。逆に、送信機ＵＥ４０５は、受信機ＵＥ４１５にＶ２Ｘ通信を送信するために使用されるべきビームと同じビーム方向にリソースブロックを使用して通信しているネイバーＵＥ４２５がいない場合、ビームスケジュール中のリソースブロックがＶ２Ｘ通信に適格であると決定し得る。
【００５９】
[0063]  例４００では、ＮＶ３に関連付けられたネイバーＵＥ４２５は、（例えば、ビーム３の経路に沿って）送信機ＵＥ４０５に対して受信機ＵＥ４１５と同じ方向に配置される。この場合、ＮＶ３に関連付けられたネイバーＵＥ４２５のスケジュールは、ビーム３上の送信機ＵＥ４０５のスケジューリング決定に影響を及ぼす。図示のように、ネイバーＵＥ４２５は、時間１において周波数３上でビーム３上でＶ２Ｘ通信の送信または受信のいずれかを行うようにスケジュールされる。その結果、このＲＢは、送信機ＵＥ４０５によって受信機ＵＥ４１５に送信されるべきＶ２Ｘ通信をスケジュールするのに適格でない。このようにして、送信機ＵＥ４０５は、干渉を低減するように送信をスケジュールし得る。
【００６０】
[0064]  従って、上記で説明されたように、送信機ＵＥ４０５は、送信機ＵＥ４０５の１つまたは複数のスケジュールされたＶ２Ｘ通信、受信機ＵＥ４１５の１つまたは複数のスケジュールされたＶ２Ｘ通信、および／あるいは１つまたは複数のネイバーＵＥ４２５の１つまたは複数のスケジュールされたＶ２Ｘ通信に少なくとも部分的に基づいて、ビームに関連付けられたスケジュールを決定し得る。１つまたは複数のネイバーＵＥ４２５は、受信機ＵＥ４１５とは異なり得、受信機ＵＥ４１５と同じビーム方向に関連付けられ得る。スケジュールは、送信機ＵＥ４０５、受信機ＵＥ４１５、および／またはネイバーＵＥ４２５によってスケジュールされたリソースブロックを示し得る。送信機ＵＥ４０５は、送信機ＵＥ４０５によって受信機ＵＥ４１５に送信されるべきＶ２Ｘ通信をスケジュールするのに適格および／または不適格である１つまたは複数のリソースブロックを決定するようにスケジュールを使用し得る。
【００６１】
[0065]  いくつかの態様では、ＵＥ４０５、４１５、および／または４２５は、スケジュールを交換し得る。例えば、送信機ＵＥ４０５は、受信機ＵＥ４１５からスケジュールを受信し得、１つまたは複数のネイバーＵＥ４２５からスケジュールを受信などし得る。追加または代替として、送信機ＵＥ４０５は、受信機ＵＥ４１５にスケジュールを送信し得、１つまたは複数のネイバーＵＥ４２５にスケジュールを送信などし得る。いくつかの態様では、ＵＥによって送信されるスケジュールは、そのＵＥのＶ２Ｘ通信のためにスケジュールされたリソースブロックのみを示し得る。いくつかの態様では、ＵＥによって送信されるスケジュールは、そのＵＥのＶ２Ｘ通信のためにスケジュールされたリソースブロックと、他のＵＥのＶ２Ｘ通信のためにスケジュールされたリソースブロックとを示し得る。例えば、第１のＵＥが特定のビームを介して第２のＵＥと通信する場合、第１のＵＥは、そのビームのためにスケジュールされたリソースブロックを示すスケジュールを送信し得る。追加または代替として、第１のＵＥが、それのスケジュールを、特定のビームを介して第２のＵＥに通信するとき、第１のＵＥは、例えば、このビームまたは他のビームを使用する他のスケジュールされた通信アクティビティにより、いくつかのリソースブロックが、このビーム（および／または逆方向の同じビーム）のためにスケジュールされるのに適格または不適格であることを示し得る。
【００６２】
[0066]  いくつかの態様では、ＵＥ４０５、４１５、４２５は、スケジュールを周期的に送信し得る。追加または代替として、ＵＥ４０５、４１５、４２５は、スケジュールの変更など、イベントの発生に少なくとも部分的に基づいてスケジュールを送信し得る。いくつかの態様では、送信機ＵＥ４０５は、受信機ＵＥ４１５および／あるいは（例えば、同じビーム方向に通信すべき）１つまたは複数のネイバーＵＥ４２５から（例えば、Ｖ２Ｘ通信がそれを介して送信されるべきビームに関連付けられた）スケジュールを受信した後に、Ｖ２Ｘ通信のための適格なリソースブロックを決定し得る。このようにして、送信機ＵＥ４０５は、ビームに関連付けられた現在のスケジュールを使用してそのビームを介した送信のためのＶ２Ｘ通信をスケジュールし得る。
【００６３】
[0067]  上記のように、図４は一例として提供される。他の例が可能であり、図４に関して説明されたものとは異なり得る。
【００６４】
[0068]  図５は、本開示の様々な態様による、Ｖ２Ｘ通信のビームベーススケジューリングの例５００を示す図である。
【００６５】
[0069]  参照番号５０５によって示されているように、（例えば、図４に関して上記で説明された）送信機ＵＥ４０５は、（例えば、図４に関して上記で説明された）受信機ＵＥ４１５に送信されるべきＶ２Ｘ通信のための候補である、ビームの１つまたは複数の適格なリソースブロックを決定し得る。例えば、送信機ＵＥ４０５は、図４に関して上記で説明されたように、ビームに関連付けられたスケジュールを使用して１つまたは複数の適格なリソースブロックを決定し得る。送信機ＵＥ４０５は、次いで、Ｖ２Ｘ通信のための候補である適格なＲＢを決定し得る。
【００６６】
[0070]  いくつかの態様では、送信機ＵＥ４０５は、Ｖ２Ｘ通信に関連付けられたトラフィック需要に少なくとも部分的に基づいて、Ｖ２Ｘ通信のための候補である適格なＲＢを決定し得る。例えば、送信機ＵＥ４０５は、Ｖ２Ｘ通信のために必要とされるＲＢの数（例えば、時間および／または周波数リソースの数）を決定し得る。いくつかの態様では、送信機ＵＥ４０５は、Ｖ２Ｘ通信のペイロードサイズ、Ｖ２Ｘ通信のために使用されるべき変調またはコーディング方式（ＭＣＳ）、Ｖ２Ｘ通信のために使用されるべき繰り返しの数などに少なくとも部分的に基づいてＲＢの数を決定し得る。送信機ＵＥ４０５は、次いで、ビームスケジュール中の適格なＲＢからその数のＲＢを選択し得る。
【００６７】
[0071]  例５００では、送信機ＵＥ４０５は、Ｖ２Ｘ通信のために３つのＲＢが必要とされると決定し、周波数２と時間１、２、および３とにおける３つの連続するＲＢを識別する。いくつかの態様では、送信機ＵＥ４０５は、連続しないＲＢおよび／または異なる周波数をもつＲＢを選択し得る。いくつかの態様では、送信機ＵＥ４０５は、連続しないＲＢよりも連続するＲＢを選好すること、異なる周波数中のＲＢよりも同じ周波数中のＲＢを選好すること、時間的により後に生じるＲＢよりも時間的によりすぐに生じるＲＢを選好することなど、候補ＲＢを選択するために１つまたは複数のルールを適用し得る。
【００６８】
[0072]  いくつかの態様では、送信機ＵＥ４０５は、Ｖ２Ｘ通信を送信するためにスケジュール中に十分な適格なリソースブロックがないと決定し得る。例えば、Ｖ２Ｘ通信が６つのＲＢを必要とすべきであった場合、図５に示されているスケジュールは、Ｖ２Ｘ通信の送信を可能にするために十分な適格なＲＢを有しないことになるであろう。この場合、送信機ＵＥ４０５は、Ｖ２Ｘ通信の送信のために使用されるべきビーム（例えば、ビーム３）に関連付けられた、更新されたスケジュールを受信するのを待ち得る。追加または代替として、送信機ＵＥ４０５は、受信機ＵＥ４１５および／あるいは１つまたは複数のネイバーＵＥ４２５に、更新されたスケジュールを要求し得る。
【００６９】
[0073]  受信機ＵＥ４１５および／あるいは１つまたは複数のネイバーＵＥ４２５から、更新されたスケジュールを受信した後に、送信機ＵＥ４０５は、Ｖ２Ｘ通信を送信するために、更新されたスケジュール中に十分な適格なＲＢがあるかどうかを決定し得る。十分な適格なＲＢがある場合、送信機ＵＥ４０５は、ビームスケジュール中の適格なＲＢから候補ＲＢとして、必要とされるＲＢの数を選択し得る。十分な適格なＲＢがない場合、送信機ＵＥ４０５は、更新されたスケジュールを再び待ち、および／または更新されたスケジュールを要求などし得る。
【００７０】
[0074]  参照番号５１０によって示されているように、送信機ＵＥ４０５は、受信機ＵＥ４１５に、Ｖ２Ｘ通信のための１つまたは複数の候補ＲＢ（例えば、Ｖ２Ｘ通信のための候補である、ビームの１つまたは複数の適格なリソースブロック）を示す提案されるスケジュールを送信し得る。例５００では、送信機ＵＥ４０５は、時間１、２、および３におけるビーム３の周波数２上の候補ＲＢを示す提案されるスケジュールを送信する。
【００７１】
[0075]  送信機ＵＥ４０５は、提案されるスケジュールの送信に少なくとも部分的に基づいて、ビームを介して受信機ＵＥ４１５にＶ２Ｘ通信を送信し得る。例えば、受信機ＵＥ４１５が、提案されるスケジュールを確認した場合、送信機ＵＥ４０５は、図６に関して以下でより詳細に説明されるように、スケジュール中に示されている候補ＲＢを使用してＶ２Ｘ通信を送信し得る。受信機ＵＥ４１５が、提案されるスケジュールを拒否した場合、送信機ＵＥ４０５は、図７に関して以下でより詳細に説明されるように、選択された候補ＲＢが受信機ＵＥ４１５によって確認されるまで、他の候補ＲＢを選択し得る。このようにして、送信機ＵＥ４０５は、Ｖ２Ｘ通信をスケジュールするとき、ビーム固有のスケジュールを考慮し得る。
【００７２】
[0076]  上記のように、図５は一例として提供される。他の例が可能であり、図５に関して説明されたものとは異なり得る。
【００７３】
[0077]  図６は、本開示の様々な態様による、Ｖ２Ｘ通信のビームベーススケジューリングの例６００を示す図である。図６は、（例えば、図４および図５に関して上記で説明された）受信機ＵＥ４１５が、（例えば、図４および図５に関して上記で説明された）送信機ＵＥ４０５から受信された提案されるスケジュールを確認する例を示す。
【００７４】
[0078]  参照番号６０５によって示されているように、送信機ＵＥ４０５は、受信機ＵＥ４１５から、提案されるスケジュールの確認を受信し得る。例えば、受信機ＵＥ４１５は、送信機ＵＥ４０５から、提案されるスケジュールを受信し得、提案されるスケジュールは、１つまたは複数の候補ＲＢを示し得る。受信機ＵＥ４１５は、受信機ＵＥ４１５によって記憶されているスケジュールに少なくとも部分的に基づいて、候補ＲＢがＶ２Ｘ送信に適格であるかどうかを決定し得る。スケジュールは、Ｖ２Ｘ送信がそれを介して送信されるべきビームに関連付けられ得る。
【００７５】
[0079]  いくつかの場合には、（例えば、スケジュールが交換された最後の時間以降に、ＵＥの一方または両方がスケジュールを更新したので）送信機ＵＥ４０５によって記憶されているスケジュールが、受信機ＵＥ４１５によって記憶されているスケジュールに一致しないことがある。従って、受信機ＵＥ４１５は、送信機ＵＥ４０５によって記憶されているスケジュールを使用して送信機ＵＥ４０５によって識別された候補ＲＢが、Ｖ２Ｘ送信に適格であることを確認するために、受信機ＵＥ４１５によって記憶されているスケジュールを使用し得る。受信機ＵＥ４１５が、受信機ＵＥ４１５によって記憶されているスケジュールに少なくとも部分的に基づいて、候補ＲＢがＶ２Ｘ送信に適格であると決定した場合、受信機ＵＥ４１５は、送信機ＵＥ４０５に、提案されるスケジュール（例えば、提案される候補ＲＢ）の確認を送信し得る。
【００７６】
[0080]  参照番号６１０によって示されているように、送信機ＵＥ４０５は、提案されるスケジュールの確認を受信機ＵＥ４１５から受信したことに少なくとも部分的に基づいて、１つまたは複数の候補ＲＢ（例えば、提案されるスケジュール中でＶ２Ｘ通信のための候補として示されている１つまたは複数の適格なＲＢ）を使用してＶ２Ｘ通信を送信し得る。このようにして、干渉およびＲＢ競合が低減または除去され得る。
【００７７】
[0081]  参照番号６１５によって示されているように、いくつかの態様では、送信機ＵＥ４０５は、１つまたは複数のネイバーＵＥ４２５および／あるいは受信機ＵＥ４１５に、更新されたスケジュールを送信し得る。例えば、送信機ＵＥ４０５は、図４に関して上記で説明されたのと同様の様式で、１つまたは複数のビームのための適格および／または不適格なＲＢを示すように、１つまたは複数のビームのスケジュールを更新し得、更新されたスケジュールを送信し得る。スケジュールは、Ｖ２Ｘ通信の送信のために選択された候補ＲＢに少なくとも部分的に基づいて更新され得る。
【００７８】
[0082]  いくつかの態様では、送信機ＵＥ４０５は、ビームの方向に配置されたネイバーＵＥ４２５のみにビームのスケジュールを送信し得る。例えば、送信機ＵＥ４０５は、ＮＶ１に関連付けられたネイバーＵＥ４２５にビーム１の更新されたスケジュールを送信し得、ＮＶ２に関連付けられたネイバーＵＥ４２５にビーム２の更新されたスケジュールを送信し得、ＮＶ３に関連付けられたネイバーＵＥ４２５にビーム３の更新されたスケジュールを送信などし得る。いくつかの態様では、送信機ＵＥ４０５は、受信機ＵＥ４１５に、ビーム３の更新されたスケジュールを送信し得る。しかしながら、いくつかの場合には、受信機ＵＥ４１５は、送信機ＵＥ４０５から更新されたスケジュールを受信せずに、提案されるスケジュールを確認したことに少なくとも部分的に基づいてスケジュールを更新し得る。このようにして、ネットワークリソースおよびＵＥリソース（例えば、処理リソース、メモリリソースなど）が温存され得る。
【００７９】
[0083]  追加または代替として、受信機ＵＥ４１５は、上記で説明されたのと同様の様式で、１つまたは複数のネイバーＵＥ４２５および／あるいは送信機ＵＥ４０５に、更新されたスケジュールを送信し得る。追加または代替として、更新されたスケジュールを受信すると、ネイバーＵＥ４２５は、１つまたは複数の他のネイバーＵＥ４２５に、更新されたスケジュールによって影響を受ける、更新されたスケジュールされたもの、および／あるいは１つまたは複数の他のビーム固有のスケジュールを送信し得る。このようにして、車両に関連付けられたＵＥのＶ２Ｘ通信ネットワーク全体が更新され、それにより、Ｖ２Ｘ通信ネットワーク全体にわたってスケジューリングを改善し得る。
【００８０】
[0084]  上記のように、図６は一例として提供される。他の例が可能であり、図６に関して説明されたものとは異なり得る。
【００８１】
[0085]  図７は、本開示の様々な態様による、Ｖ２Ｘ通信のビームベーススケジューリングの例７００を示す図である。図７は、（例えば、図４、図５、および図６に関して上記で説明された）受信機ＵＥ４１５が、（例えば、図４、図５、および図６に関して上記で説明された）送信機ＵＥ４０５から受信された提案されるスケジュールを拒否する例を示す。
【００８２】
[0086]  参照番号７０５によって示されているように、送信機ＵＥ４０５は、受信機ＵＥ４１５から、提案されるスケジュールの拒否を受信し得る。例えば、受信機ＵＥ４１５は、送信機ＵＥ４０５から、提案されるスケジュールを受信し得、提案されるスケジュールは、１つまたは複数の候補ＲＢを示し得る。受信機ＵＥ４１５は、図６に関して上記で説明されたように、受信機ＵＥ４１５によって記憶されているスケジュールに少なくとも部分的に基づいて、候補ＲＢがＶ２Ｘ送信に適格であるかどうかを決定し得る。受信機ＵＥ４１５が、受信機ＵＥ４１５によって記憶されているスケジュールに少なくとも部分的に基づいて、候補ＲＢがＶ２Ｘ送信に適格でないと決定した場合、受信機ＵＥ４１５は、送信機ＵＥ４０５に、提案されるスケジュール（例えば、提案される候補ＲＢ）の拒否を送信し得る。
【００８３】
[0087]  追加または代替として、受信機ＵＥ４１５が、受信機ＵＥ４１５によって記憶されているスケジュールに少なくとも部分的に基づいて、候補ＲＢがＶ２Ｘ送信に適格でないと決定した場合、受信機ＵＥ４１５は、送信機ＵＥ４０５に、更新されたスケジュールを送信し得る。いくつかの態様では、更新されたスケジュールは、（例えば、送信機ＵＥ４０５によって記憶されているスケジュールに一致しないことがある）受信機ＵＥ４１５によって記憶されているスケジュールであり得る。
【００８４】
[0088]  参照番号７１０によって示されているように、拒否および／または更新されたスケジュールを受信したことに少なくとも部分的に基づいて、送信機ＵＥ４０５は、（例えば、前に選択された候補ＲＢとは異なる）１つまたは複数の異なる適格なＲＢを決定し得る。例えば、送信機ＵＥ４０５は、図４および図５に関して上記で説明されたのと同様の様式で、更新されたスケジュールを使用して、１つまたは複数の異なる適格なＲＢを識別し得、Ｖ２Ｘ通信の送信のために１つまたは複数の異なる候補ＲＢを選択し得る。
【００８５】
[0089]  参照番号７１５によって示されているように、いくつかの態様では、送信機ＵＥ４０５は、受信機ＵＥ４１５に、異なる候補ＲＢを示す（例えば、前に提案されたスケジュールとは異なる）異なる提案されるスケジュールを送信し得る。受信機ＵＥ４１５は、本明細書の他の場所で説明されたのと同様の様式で、受信機ＵＥ４１５によって記憶されているスケジュールを使用して、異なる候補ＲＢが適格であるかどうかを決定し得、異なる提案されるスケジュールを確認または拒否し得る。送信機ＵＥ４０５は、受信機ＵＥ４１５が、提案されるスケジュールを確認したか拒否したかに少なくとも部分的に基づいて、Ｖ２Ｘ通信を送信し得るかまたは追加の適格なＲＢを識別し得る。これは、Ｖ２Ｘ送信がスケジュールおよび／または送信されるまで継続し得る。このようにして、特定のビーム上の干渉およびＲＢ競合が低減または除去され得る。
【００８６】
[0090]  上記のように、図７は一例として提供される。他の例が可能であり、図７に関して説明されたものとは異なり得る。
【００８７】
[0091]  図８は、本開示の様々な態様による、例えば、ＵＥによって行われる例示的なプロセス８００を示す図である。例示的なプロセス８００は、送信機ＵＥ（例えば、ＵＥ１２０、３０５、４０５、４１５、４２５など）がＶ２Ｘ通信のビームベーススケジューリングを行う例である。
【００８８】
[0092]  図８に示されているように、いくつかの態様では、プロセス８００は、受信機ＵＥにビークルツーエブリシング（Ｖ２Ｘ）通信を送信するために使用されるべきビームを決定することを含み得る（ブロック８１０）。例えば、送信機ＵＥは、図４〜図７に関して上記で説明されたように、受信機ＵＥにＶ２Ｘ通信を送信するために使用されるべきビームを決定し得る。
【００８９】
[0093]  図８にさらに示されているように、いくつかの態様では、プロセス８００は、ビームに関連付けられたスケジュールに少なくとも部分的に基づいて、Ｖ２Ｘ通信のための候補である、ビームの１つまたは複数の適格なリソースブロックを決定することを含み得る（ブロック８２０）。例えば、送信機ＵＥは、図４〜図７に関して上記で説明されたように、Ｖ２Ｘ通信のための候補である、ビームの１つまたは複数の適格なリソースブロックを決定し得る。いくつかの態様では、送信機ＵＥは、ビームに関連付けられたスケジュールに少なくとも部分的に基づいて、Ｖ２Ｘ通信のための候補である、ビームの１つまたは複数の適格なリソースブロックを決定し得る。
【００９０】
[0094]  図８にさらに示されているように、いくつかの態様では、プロセス８００は、受信機ＵＥに、Ｖ２Ｘ通信のための候補である、ビームの１つまたは複数の適格なリソースブロックを示す提案されるスケジュールを送信することを含み得る（ブロック８３０）。例えば、送信機ＵＥは、図４〜図７に関して上記で説明されたように、受信機ＵＥに、Ｖ２Ｘ通信のための候補である、ビームの１つまたは複数の適格なリソースブロックを示す提案されるスケジュールを送信し得る。
【００９１】
[0095]  図８にさらに示されているように、いくつかの態様では、プロセス８００は、提案されるスケジュールの送信に少なくとも部分的に基づいて、ビームを介して受信機ＵＥにＶ２Ｘ通信を送信することを含み得る（ブロック８４０）。例えば、送信機ＵＥは、図４〜図７に関して上記で説明されたように、提案されるスケジュールの送信に少なくとも部分的に基づいて、ビームを介して受信機ＵＥにＶ２Ｘ通信を送信し得る。
【００９２】
[0096]  いくつかの態様では、Ｖ２Ｘ通信は、提案されるスケジュールの確認を受信機ＵＥから受信したことに少なくとも部分的に基づいて、ビームの１つまたは複数の適格なリソースブロックを使用して受信機ＵＥに送信される。
【００９３】
[0097]  いくつかの態様では、送信機ＵＥは、提案されるスケジュールの拒否を受信機ＵＥから受信し得、受信機ＵＥから、更新されたスケジュールを受信し得、更新されたスケジュールに少なくとも部分的に基づいて、Ｖ２Ｘ通信のために使用されるべきビームの異なる１つまたは複数の適格なリソースブロックを決定し得、ビームの異なる１つまたは複数の適格なリソースブロックを使用して受信機ＵＥにＶ２Ｘ通信を送信し得る。いくつかの態様では、Ｖ２Ｘ通信は、異なる１つまたは複数の適格なリソースブロックを示す、異なる提案されるスケジュールの確認を受信機ＵＥから受信したことに少なくとも部分的に基づいて、ビームの異なる１つまたは複数の適格なリソースブロックを使用して受信機ＵＥに送信される。
【００９４】
[0098]  いくつかの態様では、１つまたは複数の適格なリソースブロックは、ビームに関連付けられた更新されたスケジュールを受信した後に決定される。いくつかの態様では、更新されたスケジュールは、Ｖ２Ｘ通信を送信するためにスケジュール中に十分な適格なリソースブロックがないという初期決定の後に受信される。
【００９５】
[0099]  いくつかの態様では、送信機ＵＥは、Ｖ２Ｘ通信を送信するために使用されるべき１つまたは複数の選択されたリソースブロックを示すようにビームのスケジュールを更新し得、ビームの更新されたスケジュールを１つまたは複数のネイバーＵＥに送信し得る。
【００９６】
[00100]  いくつかの態様では、スケジュールは、送信機ＵＥの１つまたは複数のスケジュールされたＶ２Ｘ通信に少なくとも部分的に基づいて決定される。いくつかの態様では、スケジュールは、受信機ＵＥの１つまたは複数のスケジュールされたＶ２Ｘ通信に少なくとも部分的に基づいて決定される。いくつかの態様では、スケジュールは、受信機ＵＥとは異なる１つまたは複数のネイバーＵＥの１つまたは複数のスケジュールされたＶ２Ｘ通信に少なくとも部分的に基づいて決定される。いくつかの態様では、１つまたは複数のネイバーＵＥは、受信機ＵＥと同じビーム方向に関連付けられる。
【００９７】
[00101]  いくつかの態様では、受信機ＵＥにＶ２Ｘ通信を送信するために使用されるべきビームと同じビーム方向に１つまたは複数のリソースブロックを使用して１つまたは複数のネイバーＵＥが通信している場合、スケジュール中の１つまたは複数のリソースブロックが不適格であると決定される。いくつかの態様では、受信機ＵＥにＶ２Ｘ通信を送信するために使用されるべきビームと同じビーム方向に１つまたは複数のリソースブロックを使用して通信しているネイバーＵＥがいない場合、スケジュール中の１つまたは複数のリソースブロックが適格であると決定される。
【００９８】
[00102]  いくつかの態様では、１つまたは複数の適格なリソースブロックは、Ｖ２Ｘ通信に関連付けられたトラフィック需要に少なくとも部分的に基づいてさらに決定される。いくつかの態様では、スケジュールは、受信機ＵＥにＶ２Ｘ通信を送信するために使用されるべきビームと同じビーム方向にスケジュールされた受信機ＵＥの１つまたは複数のＶ２Ｘ通信に少なくとも部分的に基づいて決定される。いくつかの態様では、スケジュール中の１つまたは複数の適格なリソースブロックは、受信機ＵＥにＶ２Ｘ通信を送信するために使用されるべきビームと同じビーム方向にスケジュールされた１つまたは複数のＶ２Ｘ通信と異なる周波数および同じ時間に関連付けられる。
【００９９】
[00103]  図８はプロセス８００の例示的なブロックを示しているが、いくつかの態様では、プロセス８００は、追加のブロック、より少数のブロック、異なるブロック、または図８に示されているものとは別様に構成されたブロックを含み得る。追加または代替として、プロセス８００のブロックのうちの２つ以上が並列に行われ得る。
【０１００】
[00104]  上記の開示は、例示および説明を提供するものであり、網羅的なものでも、態様を開示された正確な形態に限定するものでもない。修正および変形が、上記の開示に照らして可能であるか、または態様の実践から取得され得る。
【０１０１】
[00105]  本明細書で使用されるように、構成要素という用語は、ハードウェア、ファームウェア、またはハードウェアとソフトウェアの組合せとして広く解釈されるものとする。本明細書で使用されるように、プロセッサは、ハードウェア、ファームウェア、またはハードウェアとソフトウェアの組合せで実施される。
【０１０２】
[00106]  本明細書では、しきい値に関していくつかの態様ついて説明される。本明細書で使用されるように、しきい値を満たすことは、値が、しきい値よりも大きいこと、しきい値以上であること、しきい値よりも小さいこと、しきい値以下であること、しきい値に等しいこと、しきい値に等しくないことなどを指し得る。
【０１０３】
[00107]  本明細書で説明されるシステムおよび／または方法は、ハードウェア、ファームウェア、またはハードウェアとソフトウェアの組合せの様々な形態で実施され得ることが明らかであろう。これらのシステムおよび／または方法を実施するために使用される実際の特殊な制御ハードウェアまたはソフトウェアコードは、態様を限定するものではない。従って、システムおよび／または方法の動作および挙動について、本明細書では特定のソフトウェアコードとは無関係に説明され、ソフトウェアおよびハードウェアは、本明細書の説明に少なくとも部分的に基づいてシステムおよび／または方法を実施するように設計され得ることが理解される。
【０１０４】
[00108]  特徴の特定の組合せが特許請求の範囲において具陳されおよび／または本明細書において開示されるが、これらの組合せは、可能な態様の開示を限定するものではない。実際は、これらの特徴の多くは、詳細には特許請求の範囲において具陳されずおよび／または本明細書で開示されない仕方で、組み合わせられ得る。以下に記載される各従属請求項は、ただ１つの請求項に直接従属し得るが、可能な態様の開示は、請求項のセットの中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、並びに複数の同じ要素をもつ任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１０５】
[00109]  本明細書で使用されるいかなる要素、行為、または命令も、明示的にそのように説明されない限り、重要または必須と解釈されるべきではない。また、本明細書で使用されるように、冠詞「ａ」および「ａｎ」は、１つまたは複数の項目を含むものであり、「１つまたは複数」と互換的に使用され得る。さらに、本明細書で使用されるように、「セット」および「グループ」という用語は、１つまたは複数の項目（例えば、関係する項目、無関係の項目、関係する項目と無関係の項目の組合せなど）を含むものであり、「１つまたは複数」と互換的に使用され得る。ただ１つの項目が意図される場合、「１つ（one）」という用語または同様の言い回しが使用される。また、本明細書で使用されるように、「有する（has）」、「有する（have）」、「有する（having）」などの用語は、オープンエンド用語であるものとする。さらに、「に基づく」という句は、別段に明記されていない限り、「に少なくとも部分的に基づく」を意味するものである。
【図１】
2021500809.tif 000003
【図２】
2021500809.tif 000004
【図３】
2021500809.tif 000005
【図４】
2021500809.tif 000006
【図５】
2021500809.tif 000007
【図６】
2021500809.tif 000008
【図７】
2021500809.tif 000009
【図８】
2021500809.tif 000010
【国際調査報告】
2021500809.tif 000011
2021500809.tif 000012
2021500809.tif 000013